(57)【要約】【課題】ルーバーを着脱可能にした温風暖房機において、使用者が取扱説明等を無視して消火直後や燃焼中にルーバーを外して清掃を行なおうとした場合に、本体内部の高温部に触れて火傷等をすることのない安全な温風暖房機の制御装置を提供する。【解決手段】温風暖房機の本体１と、この本体１内に設置されたバーナ２と、本体外面に設けられた温風吹出口４と、この温風吹出口４に設けられた着脱可能なルーバー６と、該ルーバー６が取り外せないようにするロック手段１３と、機器の内部温度を検知する内部温度検知手段１４と、この内部温度検知手段１４によって検知された内部温度が所定温度（例えば、５０℃）以上である場合、前記ロック手段１３を施錠して温風吹出口４からルーバー６が外せないよう制御する制御手段１６とを備える。【選択図】        図３
2004294011.tif 000002
【特許請求の範囲】
【請求項１】
温風暖房機の本体と、この本体内に設置された熱源と、本体外面に設けられた温風吹出口と、この温風吹出口に設けられ着脱可能なルーバーと、該ルーバーが取り外せないように施錠するロック手段と、機器の内部温度を検知する内部温度検知手段と、この内部温度検知手段によって検知された内部温度が所定温度以上である場合、前記ロック手段を施錠して温風吹出口からルーバーが外せないよう制御する制御手段とを備えたことを特徴とする温風暖房機の制御装置。
【請求項２】
温風暖房機の本体と、この本体内に設置された熱源と、本体外面に設けられた温風吹出口と、この温風吹出口に設けられ着脱可能なルーバーと、該ルーバーが取り外せないように施錠するロック手段と、機器の内部温度を検知する内部温度検知手段と、運転中は前記ロック手段を施錠して温風吹出口からルーバーが外せないように制御するとともに、運転停止後は前記内部温度検知手段によって検知された内部温度が所定温度以上である場合、前記ロック手段を施錠して温風吹出口からルーバーが外せないよう制御する制御手段とを備えたことを特徴とする温風暖房機の制御装置。
【請求項３】
温風暖房機の本体と、この本体内に設置された熱源と、本体外面に設けられた温風吹出口と、この温風吹出口に設けられ着脱可能なルーバーと、該ルーバーが取り外せないように施錠するロック手段と、運転停止と同時に計時を開始する計時手段と、この計時手段が予め設定された所定時間を計時するまでは前記ロック手段を施錠して温風吹出口からルーバーが外せないように制御する制御手段とを備えたことを特徴とする温風暖房機の制御装置。
【請求項４】
温風暖房機の本体と、この本体内に設置された熱源と、本体外面に設けられた温風吹出口と、この温風吹出口に設けられ着脱可能なルーバーと、該ルーバーが取り外せないように施錠するロック手段と、運転停止と同時に計時を開始する計時手段と、運転中は前記ロック手段を施錠して温風吹出口からルーバーが外せないように制御するとともに、運転停止後は前記計時手段が予め設定された所定時間を計時するまでは前記ロック手段を施錠して温風吹出口からルーバーが外せないように制御する制御手段とを備えたことを特徴とする温風暖房機の制御装置。
【請求項５】
前記ロック手段が施錠状態であるか解錠状態であるかを表示する表示手段を備えたことを特徴とする請求項１〜４のいずれかに記載の温風暖房機の制御装置。
【発明の詳細な説明】
【０００１】
【発明の属する技術分野】
本発明は、電気ファンヒーター、石油ファンヒーター、及びガスファンヒーター等の温風暖房機の制御装置に関するものである。
【０００２】
【従来の技術】
従来の石油ファンヒーター等の温風暖房機は、ルーバーの着脱が不可能であるため、ルーバーや温風吹出口付近（本体内部）の清掃が充分にできず、清掃性の悪いものであった。このため、温風暖房機を長時間使用することで溜まった塵埃が温風熱や油性分等によってルーバーが変色し、本体の美観が損なわれるばかりか、本体内部温度上昇や、悪臭など様々な問題が生じていた。そこで、清掃性を改善するために、温風吹出口からルーバーを着脱可能にしたものがある（例えば、特許文献１参照。）。
【０００３】
【特許文献１】
特開２００２−１６８５２８号公報（第２−４頁、図１）
【０００４】
【発明が解決しようとする課題】
しかしながら、上記従来の温風暖房機における制御装置では、使用者が取扱説明等を無視して消火直後や燃焼中にルーバーを外して清掃を行なった場合、バーナでの燃焼は停止させるものの、本体内部はしばらく高温であるため、本体内部の高温部に触れて火傷等してしまうという安全面での問題点があった。
【０００５】
本発明は、上記のような問題点を解決するもので、使用者が掃除を行う際に、本体内部の高温部に触れて火傷等をすることのない安全な温風暖房機の制御装置の提供を目的としている。
【０００６】
【課題を解決するための手段】
本発明にかかわる温風暖房機の制御装置は、温風暖房機の本体と、この本体内に設置された熱源と、本体外面に設けられた温風吹出口と、この温風吹出口に設けられ着脱可能なルーバーと、該ルーバーが取り外せないように施錠するロック手段と、機器の内部温度を検知する内部温度検知手段と、この内部温度検知手段によって検知された内部温度が所定温度以上である場合、前記ロック手段を施錠して温風吹出口からルーバーが外せないよう制御する制御手段とを備えたものである。
【０００７】
【発明の実施の形態】
実施の形態１．
以下、本発明の実施の形態１を図に基づいて説明する。
図１は本発明の実施の形態１を示す温風暖房機の正面外観図、図２は本発明の実施の形態１を示す温風暖房機におけるルーバーの着脱状態を示す要部拡大図、図３は本発明の実施の形態１を示す温風暖房機の制御装置のブロック図である。
【０００８】
図において、１は温風を放出して室内を暖める温風暖房機の本体、２は本体１内部に設置された熱源としてのバーナ、３は本体１前面に設けられた開口部、４はこの開口部３の一側部に設けられた温風吹出口、５は開口部３の他側部に設けられたベース部、６は開口部３に合致して設けられるルーバー、７は開口部３の一端に開設された係止穴部、８はルーバー６に設けられ係止穴部７と合致する爪部、９はベース部５に設けられたネジ穴、１０はルーバー６に設けられたネジ穴、１１はルーバー６をベース部５に取り付けるための２個の摘みネジで、使用者が手で摘んで締めたり外したりすることができるようになっている。
【０００９】
１２は本体１内に設けたルーバー検知手段としてのマイクロスイッチで、前記ルーバー６が開口部３に合致して取り付いているかどうかを検知する。１３はルーバー６が開口部３から取り外せないように施錠するロック手段、１４は使用者が掃除を行う際に触ることのできる本体１内部の温度を測定する内部温度検知手段、１５はバーナ２で発生した高温ガスを温風に変換して放出するための対流ファン、１６は前記ロック手段１３及び予め記憶されたプログラムに従って温風暖房機全体の制御を行う制御手段である。
【００１０】
次に、このように構成された温風暖房機のルーバー６の着脱作業について説明する。まず、ルーバー６を開口部３に取り付ける際は、ルーバー６の一端に設けられた爪部８を開口部３の一端に開設された係止穴部７に合致させた後、摘みネジ１１をネジ穴９とネジ穴１０を貫通させ、ルーバー６の取り付けが完了する。また、ルーバー６を開口部３から取り外す際は、前述の取り付け時とは逆の手順で取り外すものである。
【００１１】
図４は本発明の実施の形態１を示すルーバー検知手段１２の要部拡大図である。
図４において、５ａはベース部５に設けられた抜き穴、６ａはルーバー６に設けられた押込爪部であり、ルーバー６を開口部３に取り付けると、押込爪部６ａは抜き穴５ａを貫通し、マイクロスイッチ１２のレバー１２ａを押し込む。これによってルーバー６が開口部３に合致して取り付いているかどうかを検知することができる。なお、ここではルーバー検出手段に機械式のマイクロスイッチ１２を用いているが、光学式スイッチや磁気式スイッチなど様々な方式のスイッチを用いてもよい。
【００１２】
図５は本発明の実施の形態１を示すロック手段１３の要部拡大図である。
図５において、５ｂはベース部５に設けられた抜き穴、６ｂはルーバー６に設けられた鍵部であり、ルーバー６を開口部３に取り付けると、鍵部６ｂは抜き穴５ｂを貫通する。１３ａはロッド、１３ｂはロッド１３ａを上下に動作させる為のソレノイドであり、通電時は図５（ａ）に示す様にロッド１３ａが下降し、逆に未通電時には図５（ｂ）に示す様にロッド１３ａが上昇する様になっている。電源オフ時や制御手段１６によってソレノイド１３ｂへの通電が無くなると、ロッド１３ａが上昇して、ロッド１３ａの上端が鍵部６ｂの挿通穴６ｃに合致し、ロック手段１３は施錠状態となって、ルーバー６が本体１から外せなくなる。逆に制御手段１６によってソレノイド１３ｂに通電されると、ロッド１３ａが下降し、ロック手段１３は解錠状態となって、ルーバー６が取り外せるようになる。
【００１３】
図６は本発明の実施の形態１を示す温風暖房機の制御動作のフローチャートである。
図６において、使用者が本体１に設けられた操作部（図示せず）に配置された運転スイッチ（図示せず）を“ＯＮ”にすると、暖房運転開始の信号が制御手段１６に入力される（ステップ２０）。スイッチ１２によりルーバー６が開口部３に装着されていることが確認されると（ステップ２１）、バーナ２での燃焼を開始し（ステップ２２）、同時に対流ファン１５の回転制御を行う（ステップ２３）。これにより、バーナ２での燃焼によって生じた高温ガスは、対流ファン１５の回転によって吸い込まれた外部空気と混合されながら、前面に押し出され、温風となって温風吹出口４より放出され、室内の暖房に使用される。
【００１４】
一方、使用者がステップ２０で運転スイッチ（図示せず）を“ＯＦＦ”にすると、このＯＦＦ信号を受けて制御手段１６はバーナ２での燃焼を停止し、消火動作を行う（ステップ２４）。消火後、所定時間（例えば、３分間）は燃焼中に発生した熱により高温になっている本体１内部を冷却するために、対流ファン１５を回転させて冷却を行い（ステップ２６）、所定時間が経過（例えば、３分間）すると、対流ファン１５を停止させる（ステップ２７）。
【００１５】
ところで、暖房運転中に使用者が誤ってルーバー６を外した場合は、押込爪部６ａによる前記マイクロスイッチ１２のレバー１２ａの押し込みが解除されることによってルーバー６が外されたことを検知し（ステップ２１）、直ちに消火動作を行うようになっている。
【００１６】
なお、暖房運転中や消火中に関係無く、内部温度検知手段１４によって本体１内部の温度を測定しており（ステップ２８）、本体１内部温度が高温であり、使用者が触れると火傷等のおそれがある所定温度以上（例えば５０℃以上）である場合は、制御手段１６がロック手段１３を施錠状態にするようにソレノイド１３ｂへの通電を制御してルーバー６が開口部３から外れないようにする（ステップ２９）。
【００１７】
一方、本体１内部温度が触れても安全な所定温度未満（例えば５０℃未満）まで冷めてくると、制御手段１６によってソレノイド１３ｂへの通電が行われてロッド１３ａが下降し、ロック手段１３を解錠させ、本体１からルーバー６が外せるようになり（ステップ３０）、ルーバー６や温風吹出口４付近（本体１内部）の清掃が簡単に行えるようになる。
【００１８】
以上のように、本実施の形態１の構成によれば、使用者が取扱説明等を無視して、消火直後や燃焼中にルーバー６を外して清掃を行おうとした場合でも、ルーバー６が本体１から外せないため、本体１内部の高温部に触れて火傷等をするおそれがなくなる。
【００１９】
また、ここでは、本体１の内部温度を検知する手段として内部温度検知手段１４を用いているが、バーナ２の温度を検知するバーナ温度検知手段（図示せず）や、温風吹出口４から吹き出す温風温度を直接検知する温風温度検知手段（図示せず）など、温風暖房機の本体１内部に予め備えられている温度検知手段を流用することで内部温度を類推してもよい。
【００２０】
実施の形態２．
図７は本発明の実施の形態２を示す温風暖房機の制御動作のフローチャートである。
図７において、ステップ２０〜２７までの動作は、図６で上述した実施の形態１の動作と同一なので、説明は省略し、相違する部分についてのみ説明する。
【００２１】
使用者がステップ２０で運転スイッチ（図示せず）を“ＯＮ”にすると、当該温風暖房機は暖房運転を開始するとともに、制御手段１６がロック手段１３を施錠するよう制御してルーバー６が開口部３から外れないようにする（ステップ３１）。これによって、暖房運転中にルーバー６を外すことが出来なくなり、使用者が誤って本体１内部の高温部に触れて火傷等をするおそれがなくなる。
【００２２】
一方、使用者がステップ２０で運転スイッチ（図示せず）を“ＯＦＦ”にすると、このＯＦＦ信号を受けて消火動作を行う（ステップ２４〜２７）とともに、制御手段１６内部に設けられ、運転停止と同時に計時を開始する計時手段（図示せず）でのカウントを開始する。計時手段（図示せず）が予め定められた所定時間（例えば３０分）を計時するまでは、暖房運転中から継続してロック手段１３を施錠してルーバー６が開口部３から外れないようにする（ステップ３１）。所定時間（例えば３０分）が経過すると、制御手段１６によってソレノイド１３ｂへの通電が行われてロッド１３ａが下降し、ロック手段１３を解錠させ、本体１からルーバー６が外せるようになり（ステップ３２）、ルーバー６や温風吹出口４付近（本体１内部）の清掃が簡単に行えるようになる。
【００２３】
図８は、温風暖房機の消火後の内部温度の推移を示す説明図である。
図８に示したように、暖房運転中の本体１内部の温度は約４００℃あったものが、消火後の対流ファン１５による冷却動作により急激に冷えるものの、使用者が触れても火傷等のおそれのない温度（例えば５０℃未満）まで下がるのに約２０分掛かることが分かる。この時間に安全率を乗じた時間（３０分）を、ステップ３２での所定時間に用いている。
【００２４】
なお、使用者が運転スイッチ（図示せず）を“ＯＦＦ”せずに、電源プラグを引き抜いて消火する場合も想定されるが、これは、電源が無いとロック手段１３が施錠するような構成にする事で回避できる。
【００２５】
以上のように実施の形態２の構成によれば、使用者が取扱説明等を無視して、消火直後や燃焼中にルーバー６を外して清掃を行おうとした場合でも、ルーバー６が本体１から外せないため、本体１内部の高温部に触れて火傷等をするおそれがなくなる。
【００２６】
実施の形態３．
図９は本発明の実施の形態３を示す温風暖房機の制御動作のフローチャートである。
図９において、ステップ２０〜２７までの動作は、図６で上述した実施の形態１の動作と同一なので、説明は省略し、相違する部分についてのみ説明する。
【００２７】
ステップ２８において、温風暖房機の本体１内部の温度が所定温度以上（例えば５０℃以上）の場合、制御手段１６がロック手段１３を施錠するよう制御してルーバー６が開口部３から外れないようにする（ステップ２９）と同時に、温風暖房機の状態等を表示するために設けられている表示部（図示せず）に専用の表示ランプ等を設けて、この表示ランプを点灯や点滅させることによって、ルーバー６のロック手段１３が施錠状態となっていることを使用者に知らせる（ステップ３４）。
【００２８】
一方、ステップ２８において、温風暖房機の本体１内部の温度が所定温度未満（例えば５０℃未満）の場合、制御手段１６がロック手段１３を解錠するよう制御してルーバー６が開口部３から外せるようになり（ステップ３０）と同時に、前記表示ランプを消灯させることによって、ルーバー６のロック手段１３が解錠状態となっていることを使用者に知らせる（ステップ３５）。
【００２９】
なお、本実施の形態３の説明において、表示ランプを表示部（図示せず）に設けることとしているが、摘みネジ１１の近傍に設けることで、表示ランプの視認性が向上する。また、ロック手段１３が施錠状態にあるかあるいは解錠状態にあるかの表示に２色ランプを用いて、例えば、施錠状態時は“赤色”表示及び解錠状態時は“緑色”表示として色分けしても良い。
【００３０】
以上のように、本実施の形態３の構成によれば、上記実施の形態１で得られる効果のほか、使用者が掃除を行って良いかどうかの判断、すなわち、ロック手段１３が解錠状態でルーバー６が外せる状態であるか、或いは、施錠状態でルーバー６が外せない状態であるかどうかを視覚的に確認でき、使い勝手の良い温風暖房機の制御装置を提供できる。
【００３１】
【発明の効果】
以上のように、本発明によれば、温風吹出口に設けられ着脱可能なルーバーと、該ルーバーが取り外せないようにするロック手段と、機器の内部温度を検知する内部温度検知手段と、この内部温度検知手段によって検知された内部温度が所定温度以上である場合、前記ロック手段を施錠して温風吹出口からルーバーが外せないよう制御する制御手段とを備えるようにしたので、使用者が取扱説明等を無視して消火直後や燃焼中にルーバーを外して清掃を行なおうとした場合に、温風吹出口からルーバーが外せないため、本体内部の高温部に触れて火傷等をするおそれがなくなる。
【図面の簡単な説明】
【図１】本発明の実施の形態１を示す温風暖房機の正面外観図である。
【図２】本発明の実施の形態１を示す温風暖房機におけるルーバーの着脱状態を示す要部拡大図である。
【図３】本発明の実施の形態１を示す温風暖房機の制御装置のブロック図である。
【図４】本発明の実施の形態１を示すルーバー検知手段の要部拡大図である。
【図５】本発明の実施の形態１を示すロック手段の要部拡大図である。
【図６】本発明の実施の形態１を示す温風暖房機の制御動作のフローチャートである。
【図７】本発明の実施の形態２を示す温風暖房機の制御動作のフローチャートである。
【図８】温風暖房機の消火後の内部温度の推移を示す説明図ある。
【図９】本発明の実施の形態３を示す温風暖房機の制御動作のフローチャートである。
【符号の説明】
１  本体、２  熱源（バーナ）、３  開口部、４  温風吹出口、５  ベース部、５ａ  抜き穴、５ｂ  抜き穴、６  ルーバー、６ａ  押込爪部、６ｂ  鍵部、６ｃ  挿通穴、７  係止穴部、８  爪部、９  ネジ穴、１０  ネジ穴、１１  摘みネジ、１２  マイクロスイッチ（ルーバー検知手段）、１３  ロック手段、１３ａ  ロッド、１３ｂ  ソレノイド、１４  内部温度検知手段、１５  対流ファン、１６  制御手段。
【図１】
2004294011.tif 000003
【図２】
2004294011.tif 000004
【図３】
2004294011.tif 000005
【図４】
2004294011.tif 000006
【図５】
2004294011.tif 000007
【図６】
2004294011.tif 000008
【図７】
2004294011.tif 000009
【図８】
2004294011.tif 000010
【図９】
2004294011.tif 000011